(57)【要約】      （修正有）【課題】広告効果を向上することができるとともに、インテリア性も確保することができる収納体を提供する。【解決手段】所定形状に折り畳んだ複数のシート状の被収納物Ｐを収納した状態で複数の側壁面を構成する多面立体形状の収納体本体１０と、収納体本体の上面中央に収納済みの最上位に位置する被収納物を引き出すための引出口１６と、を備え、複数の側壁面は、隣接する２面を含む複数の側壁面１１、１２を企業広告の広告面として用いるとともに、残余の側壁面１３、１４を非広告面として用い、上面は、引出口を境界とする一方側の領域面２２を企業広告の広告面として用いるとともに、引出口を境界とする他方側の領域面２３を非広告面として用いる、ことを特徴とする。【選択図】図１
0003210766.tif 000002
【実用新案登録請求の範囲】
【請求項１】
所定形状に折り畳んだ複数のシート状の被収納物を収納した状態で複数の側壁面を構成する多面立体形状の収納体本体と、
前記収納体本体の上面中央に収納済みの最上位に位置する被収納物を引き出すための引出口と、
を備え、
前記複数の側壁面は、隣接する２面を含む複数の側壁面を企業広告の広告面として用いるとともに、残余の側壁面を非広告面として用い、
前記上面は、前記引出口を境界とする一方側の領域面を企業広告の広告面として用いるとともに、前記引出口を境界とする他方側の領域面を非広告面として用いる、
ことを特徴とする収納体。
【請求項２】
前記上面は、４つ以上の偶数辺を備える多角形状面であり、
前記複数の側壁面のうち、前記複数の広告面の所定の１面を主広告面とし、前記主広告面の裏面側を主非広告面とした、
ことを特徴とする請求項１に記載の収納体。
【請求項３】
前記引出口は、前記上面の４つ以上の偶数辺のうち前記主広告面及び前記主非広告面とで共用する各辺の中間位置において当該各辺に沿って延在する、
ことを特徴とする請求項２に記載の収納体。
【請求項４】
前記引出口は、ミシン目によって区画した舌片状の蓋体部を前記ミシン目に沿って前記上面から分離することで形成され、
前記蓋体部の表面は、前記上面から分離したときにサービスチケットとして利用可能なサービス広告面として用いる、
ことを特徴とする請求項１乃至請求項３の何れか１の請求項に記載の収納体。
【請求項５】
前記広告面の少なくとも一面の一部に、電気通信回線を通じてカメラ付端末の表示画面にランディングページを表示させるための２次元バーコード情報部を備える、
ことを特徴とする請求項１乃至請求項４の何れか１の請求項に記載の収納体。
【考案の詳細な説明】
【技術分野】
【０００１】
本考案は、所定形状に折り畳んだ複数のシート状の被収納物を収納して利用時に最上位に位置する被収納物から順次引き出し可能とした立体形状の収納体に関する。
【背景技術】
【０００２】
従来、テッシュペーパ、ペーパナプキン、収納シート等は、所定形状に折り畳んだ複数のシート状の被収納物として収納し、必要時に上面に形成した引出口から最上位に位置するものから順次引き出し可能として収納体が周知である。
【０００３】
この際、複数のテッシュペーパを収納した直方体形状のテッシュボックスにおいて、４つの側壁面及び上面の各面を企業広告面とする技術が知られている（例えば、特許文献１参照）。
【０００４】
また、開封用切込線によって一部を上面から切り起こし状に切り離すことで取出口を開閉可能とする取出口蓋を構成するとともに、取出口蓋の裏面に企業広告を印刷した技術も知られている（例えば、特許文献２参照）。
【先行技術文献】
【特許文献】
【０００５】
【特許文献１】特開２００８−２６５７６３号公報
【特許文献２】特開２０１３−０３９９５８号公報
【考案の概要】
【考案が解決しようとする課題】
【０００６】
しかしながら、例えば、特許文献１に開示の収納体は、利用者が視認可能な書く側壁メント上面の全てに企業広告を印刷するため、例えば、家庭リビング等に置いた際には見栄えを損ない、インテリア性に劣るという問題が生じていた。
【０００７】
また、特許文献２に開示の収納体は、取出口を立ち上げた利用時において利用者にのみ企業広告を提示することしかできず、広告効果が薄いという問題が生じていた。
【０００８】
本考案は、広告効果を向上することができるとともに、インテリア性も確保することができる収納体を提供することを目的とする。
【課題を解決するための手段】
【０００９】
本考案に係る収納体は、上記目的を達成のため、所定形状に折り畳んだ複数のシート状の被収納物を収納した状態で複数の側壁面を構成する多面立体形状の収納体本体と、収納体本体の上面中央）に収納済みの最上位に位置する被収納物を引き出すための引出口と、を備え、複数の側壁面は、隣接する２面を含む複数の側壁面を企業広告の広告面として用いるとともに、残余の側壁面を非広告面として用い、上面は、引出口を境界とする一方側の領域面を企業広告の広告面として用いるとともに、引出口を境界とする他方側の領域面を非広告面として用いる、ものである。
【考案の効果】
【００１０】
本考案によれば、複数の側壁面は、隣接する２面を含む複数の側壁面を企業広告の広告面として用いるとともに、残余の側壁面を非広告面として用い、上面は、引出口を境界とする一方側の領域面を企業広告の広告面として用いるとともに、引出口を境界とする他方側の領域面を非広告面として用いることにより、広告効果を向上することができるとともに、インテリア性も確保することができる。
【００１１】
また、上面は４つ以上の偶数辺を備える多角形状面であり、複数の側壁面のうち、複数の広告面の所定の１面を主広告面とし、主広告面の裏面側を主非広告面としたことにより、主として広告用を利用者に提示する利用形態と、主として非広告用（インテリア）を利用者に提示する利用形態と、で使い分けをすることができ、広告効果を向上することができるとともに、インテリア性も確保することができる。
【００１２】
また、引出口は、上面の４つ以上の偶数辺のうち主広告面及び主非広告面とで共用する各辺の中間位置において当該各辺に沿って延在することにより、引出口からはみ出た次シートによって一方の上面半分（裏面側）を見え難くするとともに、他方の上面半分（表面側）の視認性を向上することができ、広告効果若しくはインテリア性を容易に確保することができる。
【００１３】
また、引出口は、ミシン目によって区画した舌片状の蓋体部をミシン目に沿って上面から分離することで形成され、蓋体部の表面は、上面から分離したときにサービスチケットとして利用可能なサービス広告面として用いることにより、サービスチケット等として利用可能なサービス広告面とすることができる。
【００１４】
さらに、広告面の少なくとも一面の一部に、電気通信回線を通じてカメラ付端末の表示画面にランディングページを表示させるための２次元バーコード情報部を備えることにより、一つの商品やサービスを提供するためのＷＥＢページを公開し、利用者に利用させることができる。
【図面の簡単な説明】
【００１５】
【図１】本考案の一実施の形態に係る収納体を示し、（Ａ）は主広告面を例示する収納箱の斜視図、（Ｂ）は非主広告面を例示する収納箱の斜視図である。
【図２】本考案の一実施の形態に係る収納体を展開した表面側の説明図である。
【図３】本考案の一実施の形態に係る収納体を複数畳重した例の斜視図である。
【図４】本考案の一実施の形態に係る収納体を店舗展示した例の斜視図である。
【図５】本考案の一実施の形態に係る他の収納体の一例の斜視図である。
【考案を実施するための形態】
【００１６】
次に、本考案に係る一実施の形態について図面を参照して説明する。なお、図２に示す展開図では、箱状に組み付ける際ののりしろ部分は省略して図示する。
【００１７】
図１乃至図４に示す収納箱は、直方体を呈する箱状の収納体を例示するものである。図１において、収納体１は、所定形状に折り畳んだ複数のシート状の被収納物Ｐを収納した状態で複数の側壁面１１，１２，１３，１４を構成する多面立体形状の収納体本体１０と、収納体本体１０の上面１５の中央に収納済みの最上位に位置する被収納物Ｐを引き出すための引出口１６と、底面１７（図２にのみ図示）と、を備える。すなわち、直方体を呈する箱状の収納体本体１０の場合の収納体１は、直方体（多面立体形状）の収納体本体１０の上面１５及び底面１７と、上面１５の各辺１８，１９，２０，２１を上辺として共有する４つの長方形の側壁面１１，１２，１３，１４と、を有する六面体である。
【００１８】
この六面のうち、複数の側壁面１１，１２，１３，１４は、図１（Ａ）に示すように、隣接する２面である複数の側壁面１１，１２を企業広告の広告面として用いるとともに、図１（Ｂ）に示すように、残余の側壁面１３，１４を非広告面として用いる。複数の側壁面１１，１２，１３，１４にあって、複数の広告面として用いる側壁面１１，１２のうち、所定の１面（例えば、面積の広い側壁面１１）を主広告面とし、主広告面である側壁面１１の裏面側に位置する側壁面１３を主非広告面とする。これにより、実際の利用形態において、面積が広く利用者の目に付きやすい側壁面１１，１３のうち、一方の側壁面１１を広告用、他方の側壁面１３を非広告用、として用いることができる。また、面積の小さい側壁面１２，１４のうち、一方の側壁面を１２を広告用、他方の側壁面１４を非広告用、として用いることができる。
【００１９】
ここで、図１（Ａ）に示すように、面積の小さい側壁面１２は、面積の大きい主広告面である側壁面１１を正面としたとき、利用者の向かって左側に位置する。このため、統計的に右利きが多いことから、被収納物Ｐを引出口１６から引き出す際の立ち位置は、収納体１よりも若干左側になり易い。したがって、面積の小さい２つの側壁面１２，１４のうち、主広告面である側壁面１１の向かって左側の側壁面１２を広告用とすれば、側壁面１４を広告面とする場合よりも広告効果を向上することができる。
【００２０】
同様に、図１（Ｂ）に示すように、面積の小さい側壁面１４は、面積の大きい主非広告面である側壁面１２を正面としたとき、利用者の向かって左側に位置する。このため、統計的に右利きが多いことから、被収納物Ｐを引出口１６から引き出す際の立ち位置は、収納体１よりも若干左側になり易い。したがって、面積の小さい２つの側壁面１２，１４のうち、非主広告面である側壁面１３の向かって左側の側壁面１４を非広告用とすれば、側壁面１４を非広告面とする場合よりもインテリア性を向上することができる。
【００２１】
なお、面積の小さい側壁面１２，１４は、機能的に広告用と非広告用とで逆にしてもよい。また、面積の小さい側壁面１２，１４の両方を広告用としてもよい。
【００２２】
六面のうち、上面１５は、引出口１６を境界とする一方側の領域面２２を企業広告の広告面として用いるとともに、引出口１６を境界とする他方側の領域面２３を非広告面として用いる。
【００２３】
図２に示すように、収納体本体１０は、厚手の再生紙等を用いて直方体を呈する箱状に折り曲げ加工したものである。したがって、図１（Ｂ）に示すように、内部に所定形状に折り畳んだ複数のシート状の被収納物Ｐを収納した状態では、特定の外圧がなければ被収納物Ｐの収納枚数に関係なく、その立体形状を維持するようになっている。
【００２４】
上面１５は、２つの長辺１８，２０と２つの短辺１９，２１とを有する長方形の面（多角形状面）であり、その中央に収納済みの最上位に位置する被収納物Ｐを引き出すための引出口１６を開口させるようになっている。引出口１６は、上面１５の４つ以上の偶数の辺のうち主広告面及び主非広告面とで共用する各辺１８，２０の中間位置において当該各辺１８，２０に沿って延在している。
【００２５】
すなわち、被収納物Ｐは、収納体１の上面１５の略全域にわたって位置しているため、収納物Ｐを引出口１６から引き出すためには、引出口１６の間口はできるだけ広いのが好ましい。
【００２６】
ここで、図１（Ｂ）に示すように、既存のテッシュボックスのように、最上位の被収納物（テッシュペーパ）Ｐを引き出した際には、次の被収納物（テッシュペーパ)Ｐを引き出しやすくするため、その略半分が引出口１６から外部にはみ出た状態となる。
【００２７】
これにより、上面１５のうち、面積の広い側壁面１１又は側壁面１３の一方を利用者が正面としている場合に、上面１５のうち、正面側に位置する領域面２２又は領域面２３の視認性を確保することができる。これに対し、上面１５のうち、面積の広い側壁面１１又は側壁面１３の一方を利用者が正面としている場合に、上面１５のうち、背面側に位置する領域面２２又は領域面２３は、引出口１６からはみ出た被収納物Ｐによって隠すことができ、正面側の領域面２２又は領域面２３を強調することができ、広告効果又はインテリア性を容易に確保することができる。
【００２８】
引出口１６は、ミシン目によって区画した舌片状の蓋体部２４をミシン目に沿って上面から分離することで形成される。ここで、蓋体部２４の表面は、上面１５から分離したときにサービスチケット等として利用可能なサービス広告面とすることができる。
【００２９】
これにより、収納体１の利用前においては、領域面２２と領域面２３との境界としての機能を図るとともに、被収納物Ｐの収納性を確保することができる。また、利用に際して引出口１６を開口させる場合には、上面１５から分離され、そのまま割引チケットや景品引換券等として再利用することができる。
【００３０】
このように、本実施の形態に係る収納体１は、所定形状に折り畳んだ複数のシート状の被収納物Ｐを収納した状態で複数の側壁面１１，１２，１３，１４を構成する多面立体形状の収納体本体１０と、収納体本体１０の上面１５の中央に収納済みの最上位に位置する被収納物Ｐを引き出すための引出口１６と、を備え、複数の側壁面１１，１２，１３，１４は、隣接する２面を含む複数の側壁面１１，１２を企業広告の広告面として用いるとともに、残余の側壁面１３，１４を非広告面として用い、上面１５は、引出口１６を境界とする一方側の領域面２２を企業広告の広告面として用いるとともに、引出口１６を境界とする他方側の領域面２３を非広告面として用いることにより、主として広告用を利用者に提示する利用形態と、主として非広告用（インテリア）を利用者に提示する利用形態と、で使い分けをすることができ、広告効果を向上することができるとともに、インテリア性も確保することができる。
【００３１】
ここで、収納体１の上面１５は、４つの辺１８，１９，２０，２１を備える多角形状面であり、複数の側壁面１１，１２，１３，１４のうち、複数の広告面としての側壁面１１，１２のうち所定の１面である面積の広い側壁面１１を主広告面とし、その主広告面である側壁面１１の裏面側に位置する側壁面１３を主非広告面とすれば、広告面側を正面として利用する、非広告面側を正面として利用する、といった利用勝手を向上することができる。
【００３２】
また、収納体１の引出口１６は、上面１５の４つの辺１８，１９，２０，２１のうち主広告面及び主非広告面とで共用する辺１８及び辺２０の中間位置においてこれら各辺１８，２０に沿って延在していることから、引出口１６から次の被収納物Ｐがはみ出る利用形態では、そのはみ出た被収納物Ｐによって上面１５の裏面側の半分を見え難くすることができるため、上面１５の表面側の半分の視認性を向上することができ、広告効果若しくはインテリア性を容易に確保することができる。
【００３３】
さらに、引出口１６は、ミシン目によって区画した舌片状の蓋体部２４をミシン目に沿って上面１５から分離することで形成することにより、上面１５の一方側の領域面２２及び他方側の領域面２３とは独立した広告面として蓋体部２４を用いることができるうえ、上面１５から分離したときにサービスチケットとして利用可能なサービス広告面として用いることができ、しかも、分離機能の有効利用を図ることができる。
【００３４】
なお、広告面としての側壁面１１，１２、一方側の領域面２２、蓋体部２４の少なくとも一面の一部に、電気通信回線を通じてカメラ付端末の表示画面にランディングページを表示させるための２次元バーコード情報部ＱＲを備えることにより、例えば、高価で手間を要するインターネットホームページを有していない（作成していない）小売店等であっても、一つの商品やサービスを提供するためのＷＥＢページを公開し、利用者に利用させることができる。
【００３５】
ところで、このような収納体１は、図３に示すように、店舗において５箱を１パックとして販売されることがある。そして、このような店舗では、図４に示すように、各パックを段積みして店舗に陳列する場合も想定される。
【００３６】
したがって、隣接する２面を広告用又は非広告用とすれば、いずれかの一面を主体として陳列することにより、他面を隠すことができるため、例えば、前面を広告面とした場合に比べて、インテリア性を強調した販売を可能とすることができ購買意欲の向上に貢献することも可能となる。
【００３７】
しかも、広告面と非広告面の両方を設けたことにより、一つの同一企業による広告は勿論、複数企業の広告を表示しても違和感を与えることが少なく、複数の広告面を面積比や視認性を考慮した金額に設定して複数企業で利用することができる。また、広告内容は印刷に限られず、少数単位でシールの貼り付け等にも対応することができる。そのうえ、全面広告に比べて、非広告面を設けてインテリア性を確保したことにより、汎用等のボックスカバーで覆われる可能性も抑制することができ、全く広告が利用者も目に触れないといった広告効果の低下を抑制することも可能となる。
【００３８】
ところで、本考案の収納体１は、上述した箱に限定されず、上面にミシン目による線状のスリットを引出口として設け、被収納物の使用に伴って厚さが変化するビニール製の袋状の収納体にも適用可能である。
【００３９】
このような場合には、被収納物の引き出しに伴う残数の量によって、最終的には上面と底面との略２面の袋体となることから、利用初期における被収納物の厚さに対応する側面の広告用及び非広告用としての表示内容に工夫をするのが好ましい。例えば、引出口であるスリットを境界として最終形態の上面による略半面づつを広告面と非広告面とで利用しても違和感のないデザイン、具体的には、連続した１つの広告用の表示と、連続した１つの非広告用の風景画、などとするのが好ましい。
【００４０】
さらに、上記実施の形態では、直方体の収納体本体１０としたがこれに限定されるものではない。例えば、図５に示すように、正六角柱状等の多面体から収納体３の収納体本体３０を構成してもい。
【００４１】
図５において、収納体３は、所定形状に折り畳んだ複数のシート状の被収納物を収納した状態で複数の側壁面３１〜３６を構成する多面立体形状の収納体本体３０と、収納体本体３０の上面３７の中央に収納済みの最上位に位置する被収納物を引き出すための引出口３８と、底面（図示せず）と、を備える。すなわち、正六角柱を呈する箱状の収納体本体３０の場合の収納体３は、正六角柱（多面立体形状）の収納体本体３０の上面３７及び底面と、上面３７の６つの各辺を上辺として共有する６つの長方形の側壁面３１〜３６と、を有する八面体である。
【００４２】
この八面のうち、複数の側壁面３１〜３６は、隣接する２面である複数の側壁面３１〜３３を企業広告の広告面として用いるとともに、残余の側壁面３４〜３６を非広告面として用いる。複数の側壁面３１〜３６にあって、複数の広告面として用いる側壁面３１〜３３のうち、所定の１面（例えば、中央に位置する側壁面３１）を主広告面とし、主広告面である側壁面３１の裏面側に位置する側壁面３４を主非広告面とする。これにより、実際の利用形態において、利用者の目に付きやすい側壁面３１，３４のうち、一方の側壁面３１を広告用、他方の側壁面３４を非広告用、として用いることができる。また、側壁面３２，３３，３５，３６のうち、主広告面である側壁面３１の両側にそれぞれ隣接する側壁面を３２，３３を広告用、非主広告面である側壁面３４の両側にそれぞれ隣接する側壁面３５，３６を非広告用、として用いることができる。
【００４３】
ここで、中央の側壁面３１を主広告面とする３つの側壁面３１，３２，３３は、全体の半分領域を利用していることから、正面、向かって右、向かって左、の各面側において利用者に広告を提示することができる。同様に、中央の側壁面３４を非主広告面とする３つの側壁面３４，３５，３６は、全体の半分領域を利用していることから、正面、向かって右、向かって左、の各面側において利用者にインテリア性の高い画像等を提示することができる。これにより、利用者の利き手に関係なく、表示内容を提示することができる。
【００４４】
八面のうち、上面３７は、引出口３８を境界とする一方側の領域面３９を企業広告の広告面として用いるとともに、引出口３８を境界とする他方側の領域面４０を非広告面として用いる。
【００４５】
上面３７は、正六角形であり、その中央に収納済みの最上位に位置する被収納物を引き出すための引出口３８を開口させるようになっている。引出口３８は、上面３７の６つの辺のうち主広告面及び主非広告面とで共用する各辺の中間位置において当該各辺に沿って延在している。
【００４６】
これにより、上面３７のうち、主広告面である側壁面３１又は非主広告面である側壁面３４の一方を利用者が正面としている場合に、上面３７のうち、正面側に位置する領域面３９又は領域面４０の視認性を確保することができる。これに対し、上面３７のうち、側壁面３１又は側壁面３４の一方を利用者が正面としている場合に、上面３７のうち、背面側に位置する領域面３９又は領域面４０は、引出口３８からはみ出た被収納物によって隠すことができ、正面側の領域面３９又は領域面４０を強調することができ、広告効果又はインテリア性を容易に確保することができる。
【００４７】
引出口３８は、ミシン目によって区画した舌片状の蓋体部４１をミシン目に沿って上面から分離することで形成される。ここで、蓋体部４１の表面は、上面３７から分離したときにサービスチケットとして利用可能なサービス広告面とすることができる。
【００４８】
これにより、収納体３の利用前においては、領域面３９と領域面４０との境界としての機能を図るとともに、被収納物の収納性を確保することができる。また、利用に際して引出口３８を開口させる場合には、上面３７から分離され、そのまま割引チケットや景品引換券等として再利用することができる。
【００４９】
また、このような収納体３において、利用者の利用形態を考慮した場合、引出口３８の延在方向は利用者の左右方向に延びている方が引き出し性等の利用勝手が良い。とすると、必然的に、隣接する３面のうちの中央の側壁面３１，３４を主広告面若しくは非主広告面とすれば、利用者の目に触れ易いのは、同じ目的（広告・非広告）に設定した３面とすることができ、目的の異なる面を同時に利用者に提示する可能性を低くすることができる。
【００５０】
また、以上既に述べた以外にも、上記実施の形態による手法を適宜組み合わせて利用しても良い。
【００５１】
その他、本考案は、その趣旨を逸脱しない範囲内において、種々の変更が加えられて実施されるものである。
【００５２】
例えば、上記実施の形態では、側壁面１２〜１５を上面１５と一体に設けた例を示したが、少なくともその何れか1つの面を、底面１７と一体、若しくは、上面１５及び底面１７とで分割、した構成としてもよい。
【００５３】
以上説明したように、本考案に係る収納体は、広告効果を向上することができるとともに、インテリア性も確保することができるという効果を有し、所定形状に折り畳んだ複数のシート状の被収納物を収納して利用時に最上位に位置する被収納物から順次引き出し可能とした立体形状の収納体全般に有用である。
【符号の説明】
【００５４】
１  収納体
１０  収納体本体
１１  側壁面
１２  側壁面
１３  側壁面
１４  側壁面
１５  上面
１６  引出口
１７  底面
１８  辺
１９  辺
２０  辺
２１  辺
２２  領域面
２３  領域面
２４  蓋体部
３  収納体
３０  収納体本体
３１  側壁面
３２  側壁面
３４  側壁面
３５  側壁面
３７  上面
３８  引出口
３９  領域面
４０  領域面
４１  蓋体部
Ｐ  収納物
【図１】
0003210766.tif 000003
【図２】
0003210766.tif 000004
【図３】
0003210766.tif 000005
【図４】
0003210766.tif 000006
【図５】
0003210766.tif 000007